(57)【特許請求の範囲】
【請求項１】
下面にキャップの取付部を有し中心部に貫通孔が設けられて該貫通孔に空気吸引管を接続するためのユニオンねじが螺入されるねじが設けられ、前記貫通孔の両側に、２つのねじ挿通用の長穴がそれぞれの中点と前記貫通孔の中心とがほぼ一直線となるように、かつ前記２つのねじ挿通用の長穴の長手方向が該直線に対してほぼ垂直になるように設けられたベース部材と、
長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、
前記ベース部材の長穴に挿通されて前記取付金具のねじ穴に螺入される固定ねじと、
中心部に空気吸引穴を有し、前記ベース部材の取付部に結合されるキャップとを備えたことを特徴とするサンプリング空気の吸引装置。
【請求項２】
下面にキャップの取付部を有し上面に空気吸引管を接続するための袋ナットが螺入されるねじ部が突設されて該ねじ部からキャップの取付部にかけて貫通孔が設けられ、該貫通孔の両側に、２つのねじ挿通用の長穴がそれぞれの中点と前記貫通孔の中心とがほぼ一直線となるように、かつ前記２つのねじ挿通用の長穴の長手方向を該直線に対してほぼ垂直になるように設けられたベース部材と、
長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、
前記ベース部材の長穴に挿通されて前記取付金具のねじ穴に螺入される固定ねじと、
中心部に空気吸引穴を有し、前記ベース部材の取付部に結合されるキャップとを備えたことを特徴とするサンプリング空気の吸引装置。
【発明の詳細な説明】
【０００１】
【発明の属する技術分野】
本発明は、例えば、クリーンルーム、コンピュータ室、事務室、貴重品等の収納室などの室内の空気、あるいは、コンピュータその他の機器が収納された筐体内の空気をサンプリング管で吸引して、火災の発生を早期に検出するためのサンプリング空気の吸引装置に関するものである。
【０００２】
【従来の技術】
例えば、コンピュータ室においては、室内の空気を還流させて装置の発熱による室内の温度上昇を防止しているが、このようなコンピュータ室に設置された機器や付帯設備などに火災等の異常煙が発生しても、この異常煙は還気流により希釈されて薄くなり、また、拡散した異常煙は還気流の流れに影響されて一定の挙動を示さないなど、その現象は通常の室内の異常発生煙とは多くの点で異なっている。このため、このような場所においては、通常の火災検出器では煙の捕捉が困難であり、きわめて感度の高い火災検出装置が要求されている。
【０００３】
図１６は上記のような場所に設置される火災検出装置の一例を示す斜視図である。図において、５０は筐体で、内部には煙検出部などが収容されている。５１は筐体５０のカバーである。５２は筐体５０に設けたサンプリング吸引口５３に接続され、天井面に設置されたサンプリング管で、両端が閉塞されて長手方向に沿って複数の吸引小孔（図示せず）が設けられており、吸引ファン５８によってサンプリング管５２から吸込まれた空気は、フィルタ５４で塵埃等が除去されたのちホース５５を通って光学式の煙検出部５６へ送られ、ホース５７を経て外部へ排出される。なお、５９は電源線、信号線等の取入け（取出し）口、６０は端子台である。
そして、煙検出部５６で煙が検出されたときは、その信号が例えばシールドケーブル等の信号線を介して中央管理室に設けた監視盤等へ送られ、警報を発するなど、所要の措置が講じられる。
【０００４】
【発明が解決しようとする課題】
上記のような火災検出装置は、高感度かつ高性能のため、例えばコンピュータ室やクリーンルーム等に設置してその機能を発揮しているが、サンプリング管が天井面に露出して敷設されているため見映えが悪いという問題があった。
また、設置当初のサンプリング条件と異ならせるために、サンプリング管に設けた吸引小孔の径や数を変更するためには、その都度サンプリング条件に適合したサンプリング管を製作しなければならず、きわめて面倒であった。
【０００５】
本発明は、上記の課題を解決するためになされたもので、天井板への取付が容易で見映えがよく、その上、サンプリング条件に応じて空気吸引穴を簡単に設置することのできるサンプリング空気の吸引装置を得ることを目的としたものである。
【０００６】
【課題を解決するための手段】
本発明に係るサンプリング空気の吸引装置は、下面にキャップの取付部を有し中心部に貫通孔が設けられて該貫通孔に空気吸引管を接続するためのユニオンねじが螺入されるねじが設けられ、前記貫通孔の両側に、２つのねじ挿通用の長穴がそれぞれの中点と前記貫通孔の中心とがほぼ一直線となるように、かつ前記２つのねじ挿通用の長穴の長手方向が該直線に対してほぼ垂直になるように設けられたベース部材と、長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、前記ベース部材の長穴に挿通されて前記取付金具のねじ穴に螺入される固定ねじと、中心部に空気吸引穴を有し、前記ベース部材の取付部に結合されるキャップとを備えたものである。
【０００７】
また、本発明に係るサンプリング空気の吸引装置は、下面にキャップの取付部を有し上面に空気吸引管を接続するための袋ナットが螺入されるねじ部が突設されて該ねじ部からキャップの取付部にかけて貫通孔が設けられ、該貫通孔の両側に、２つのねじ挿通用の長穴がそれぞれの中点と前記貫通孔の中心とがほぼ一直線となるように、かつ前記２つのねじ挿通用の長穴の長手方向を該直線に対してほぼ垂直になるように設けられたベース部材と、長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、前記ベース部材の長穴に挿通されて前記取付金具のねじ穴に螺入される固定ねじと、中心部に空気吸引穴を有し、前記ベース部材の取付部に結合されるキャップとを備えたものである。
【０００９】
【発明の実施の形態】
実施形態１
図１は本発明に係るサンプリング空気の吸引装置の取付状態を示す縦断面図、図２はその下面図である。
図において、１はベース部材で、図３、図４に示すように、ほぼ小判形の基板２と、その中心部から下方に突設されて外周におねじ４を有する突部３とによりほぼ逆凸字状に形成されている。そして、中心部には貫通孔５が設けられており、この貫通孔５には上面から突部３の一部にかけてめねじを有するねじ穴６が形成されている。７は突部３の両側において基板２に設けられたねじ挿通用の長穴で、下面側は大きく形成されて両者の間に段部が設けられている。なお、ベース部材１は円形又は多角形に形成してもよく、また、貫通孔５は全長にわたってめねじを有するねじ穴としてもよい。
【００１０】
１１は取付金具で、図５、図６に示すように、横方向に長い平面ほぼ八角形状に形成されており、その長さはベース部１の基板２の直径とほぼ等しく、幅Ｗ1 は基板２の幅より若干狭く形成されている。１２は取付金具１１の長手方向に長い長穴で、その幅Ｗ2 は後述のハーフユニオンの袋ナットの外径より若干大きく形成されている。１３は長穴１２の中央部の両側に設けたねじ穴である。なお、この取付金具１１は小判形状、楕円形状、あるいは四隅を切除したほぼ長方形状のものであってもよい。
【００１１】
２１は合成樹脂成形品からなるキャップで、図７、図８に示すように、上面が平坦で下面がほぼ円弧状に形成されており、中心部の上面から上下方向のほぼ中央部にかけて、ベース部材１の突部３のおねじ４に螺合するねじ穴２２が設けられており、このねじ穴２２の中心部には下面に開口する空気吸引穴２３が設けられている。なお、この空気吸引穴２３の径は、サンプリング条件によって決定される。
２５はベース部材１の長穴７に挿通され、取付金具１１のねじ穴１３に螺入される固定ねじである。
【００１２】
３１はハーフユニオン（ユニオン継手）で、ほぼ中央部にスパナ等を係合する締付部３３を有し、下部にベース部材１のねじ穴６に螺合するおねじ３４が設けられ、上部におねじ３５が設けられて中心部に貫通孔（図せず）を有するユニオンねじ３２と、空気吸引管４１に接合され、ユニオンねじ３２のおねじ３５に螺合する袋ナット３６からなっている。
なお、４５は例えば、クリーンルーム、コンピュータ室、事務室あるいは機器筐体の天井板又は天井板に取付けられた吸引装置の取付プレート（以下天井板という）で、４６は天井板４５に設けられその径Ｄ（図９参照）が取付金具１１の幅Ｗ1 より若干大きい取付穴である。
【００１３】
次に、図９〜図１４により、本発明に係る吸引装置の天井板への取付手順について説明する。
（１）図９に示すように、天井裏に敷設した空気吸引管４１又はこの空気吸引管に接続された枝管（以下これらを合せて空気吸引管という）を、天井板４５に設けた取付穴４６から下方（室内側）に、例えば、３０mm程度引出し、図１０に示すように、袋ナット３６を装着する。なお、空気吸引管４１あるいは枝管は、フレキシブルパイプ等の可撓管を用いてもよい。
【００１４】
（２）図１０に示すように、ベース部材１のねじ穴６にユニオンねじ３２のおねじ３４を螺入して結合し、また、ベース部材１の長穴７に固定ねじ２５を挿通してその先端部を取付金具１１のねじ穴１３にそれぞれ螺入する。そして、取付金具１１をその長穴１２を袋ナット３６に通して上方に引上げ、図１１に示すように、袋ナット３６をユニオンねじ３２のおねじ３５に螺入し、空気吸引管４１をユニオンねじ３２に接続する。
【００１５】
（３）次に、図１２に示すように、取付金具１１を傾けてその長手方向から天井板４５の取付穴４６に挿入し、天井裏に押出して天井板４５の上面に位置させ、その長手方向を天井板４５の上面に係止させる。このときの状態を図１３に示す。
このとき、固定ねじ２５はベース部材１の長穴７に挿通されているので、取付金具１１を容易に傾けることができる。
【００１６】
（４）図１３の状態で固定ねじ２５をねじ込むと、空気吸引管４１が天井裏に押込まれると共に空気吸引管４１が接続されたベース部材１が上昇し、図１４に示すように、取付金具１１とベース部材１により天井板４５を挾持し、固定される。これにより、空気吸引管４１及びハーフユニオン３１は天井裏に収容され、天井板４５の下面にはベース部材１だけが露出する。
【００１７】
（５）最後に、図１４に示すように、キャップ２１のねじ穴２２を、ベース部材１の突部３に設けたおねじ４に螺合すれば、吸引装置の天井板４５への取付けが完了する。このときの状態を図１及び図２に示す。
【００１８】
上記のように構成した本発明においては、吸引装置の空気吸引穴２３から吸引されたサンプリング空気は、ハーフユニオン３１、空気吸引管４１を経て、例えば、図１５に示すような高感度の火災検出装置に導入され、異常煙の有無等が検査される。
【００１９】
上記の説明では、本発明に係る吸引装置によって吸引されたサンプリング空気を、図１５に示す火災検出装置に導入して検出する場合を示したが、火災検出装置はこれに限定するものではなく、他のものを用いてもよい。
また、キャップ２１を合成樹脂で構成した場合を示したが、金属製でもよく、ベース部材１への取付けもねじ結合に限定するものではなく、バヨネット方式のその他の結合手段を用いてもよい。
【００２０】
上記のように構成した本発明においては、空気吸引管４１は天井裏に敷設され、天井板の下面、したがって室内側には図２に示すよう、意匠的に優れたキャップ２１及びベース部材１の一部が露出するだけなので、見映えのよい吸引装置を得ることができる。
また、キャップ２１をベース部材１に着脱可能としたので、サンプリング条件に適合した空気吸引穴２３を有するキャップ２１を容易に取付けることができ、さらに、キャップ２１を合成樹脂で構成すれば、施工時等になんらかの理由でキャップ２１が落下しても、人や物を傷つけるおそれがない。
【００２１】
また、前述の手順で吸引装置を天井板に取付けるようにしたので、取付作業をすべて室内側で行うことができ、天井板の取外しができない場所での取付けを容易かつ短時間で行うことができる。
【００２２】
実施形態２
図１５は本発明の実施形態２の要部をなすベース部材の縦断面図である。本実施形態は、ベース部材１の上面（突部３の反対側）の中心部に、ベース部材１と一体におねじ９を有するねじ部８を立設し、ねじ部８の中心部から突部３にかけて貫通孔５を設けたものである。
【００２３】
上記のように構成した本実施形態においては、ベース部材１にねじ部８を設けたことにより、実施形態１のようにユニオンねじを使用することなく、空気吸引管４１に接合した袋ナット３６に、ベース部材１を回転させて直接ねじ部８を螺入すればよいので、構造が簡単で部品点数を減らすことができる。なお、ねじ部８にめねじを設け、袋ナットの先端部におねじを設けて螺入するようにしてもよい。
【００２４】
【発明の効果】
本発明に係るサンプリング空気の吸引装置は、下面にキャップの取付部を有し中心部に貫通孔が設けられて該貫通孔に空気吸引管を接続するためのユニオンねじが螺入されるねじが設けられ、前記貫通孔の両側に、２つのねじ挿通用の長穴がそれぞれの中点と前記貫通孔の中心とがほぼ一直線となるように、かつ前記２つのねじ挿通用の長穴の長手方向が該直線に対してほぼ垂直になるように設けられたベース部材と、長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、前記ベース部材の長穴に挿通されて前記取付金具のねじ穴に螺入される固定ねじと、中心部に空気吸引穴を有し、前記ベース部材の取付部に結合されるキャップとによって構成し、空気吸引管を天井裏に敷設してキャップ及びベース部材の一部が天井板から室内に露出するようにしたので、見映えのよい吸引装置を得ることができる。また、キャップをベース部材に着脱可能としたので、サンプリング条件に適合した空気吸引穴を有するキャップを容易に取付けることができる。
【００２５】
また、本発明に係るサンプリング空気の吸引装置は、下面にキャップの取付部を有し上面に空気吸引管を接続するための袋ナットが螺入されるねじ部が突設されて該ねじ部からキャップの取付部にかけて貫通孔が設けられ、該貫通孔の両側に、２つのねじ挿通用の長穴がそれぞれの中点と前記貫通孔の中心とがほぼ一直線となるように、かつ前記２つのねじ挿通用の長穴の長手方向を該直線に対してほぼ垂直になるように設けられたベース部材と、長手方向に長穴を有し、該長穴の両側に、２つのねじ穴が、それぞれの中心と前記長穴の長手方向中心軸の中点とがほぼ一直線となるように、かつ前記長穴の長手方向が該直線に対してほぼ垂直になるように設けられたほぼ長方形の取付金具と、前記ベース部材の長穴に挿通されて前記取付金具のねじ穴に螺入される固定ねじと、中心部に空気吸引穴を有し、前記ベース部材の取付部に結合されるキャップとを備えたので、上記と同様の効果を得られると共に、空気吸引管に接合した袋ナットを直接ねじ部に螺合するように構成したので、構造が簡単で部品点数を減らすことができる。
【図面の簡単な説明】
【図１】本発明に係る実施形態１の吸引装置を天井板に取付けた状態を示す縦断面図である。
【図２】図１の下面図である。
【図３】図１のベース部材の断面図である。
【図４】図３の下面図である。
【図５】図１の取付金具の平面図である。
【図６】図５の断面図である。
【図７】図１のキャップの縦断面図である。
【図８】図７の下面図である。
【図９】実施形態１の吸引装置の天井板への取付手順を示す説明図である。
【図１０】実施形態１の吸引装置の天井板への取付手順を示す説明図である。
【図１１】実施形態１の吸引装置の天井板への取付手順を示す説明図である。
【図１２】実施形態１の吸引装置の天井板への取付手順を示す説明図である。
【図１３】実施形態１の吸引装置の天井板への取付手順を示す説明図である。
【図１４】実施形態１の吸引装置の天井板への取付手順を示す説明図である。
【図１５】本発明の実施形態２の要部断面図である。
【図１６】従来の高感度火災検出装置の一例の説明図である。
【符号の説明】
１  ベース部材
６  ねじ穴
７  長穴
８  ねじ部
１１  取付金具
１２  長穴
１３  ねじ穴
２１  キャップ
２２  ねじ穴
２３  空気吸引穴
２５  固定ねじ
３１  ハーフユニオン
３２  ユニオンねじ
３６  袋ナット
４１  空気吸引管
４５  天井板
４６  取付穴
【図１】
0003956165.tif 000002
【図２】
0003956165.tif 000003
【図３】
0003956165.tif 000004
【図４】
0003956165.tif 000005
【図５】
0003956165.tif 000006
【図６】
0003956165.tif 000007
【図７】
0003956165.tif 000008
【図８】
0003956165.tif 000009
【図９】
0003956165.tif 000010
【図１０】
0003956165.tif 000011
【図１１】
0003956165.tif 000012
【図１２】
0003956165.tif 000013
【図１３】
0003956165.tif 000014
【図１４】
0003956165.tif 000015
【図１５】
0003956165.tif 000016
【図１６】
0003956165.tif 000017